(57)【特許請求の範囲】
【請求項１】
細長い基板上に抵抗発熱体が形成された加熱体と、内周面が前記加熱体に接触しつつ回転する筒状のフィルムと、前記フィルムを介して前記加熱体と共に定着ニップ部を形成する加圧ローラと、前記加熱体を保持する加熱体保持部材と、温度検出素子と前記温度検出素子を保持する耐熱弾性部材と前記耐熱弾性部材を保持する温度検出素子保持部材を備えており前記加熱体保持部材に設けられた貫通孔を介して前記耐熱弾性部材の温度検出素子保持面側が前記加熱体の前記フィルム接触面とは反対側の面に接触し前記加熱体の温度を検出する温度検出手段と、前記温度検出手段を前記加熱体に付勢する付勢手段と、を有し、前記定着ニップ部でトナー像を担持する記録材を挟持搬送しつつトナー像を記録材に加熱定着する定着装置において、
前記温度検出手段は、前記加熱体の長手方向に関して、前記温度検出素子を設けた位置を中心に等距離の位置関係にある二箇所を前記加熱体保持部材に位置決めしており、この二箇所の位置決め部のうちの少なくとも一方は、前記前記温度検出素子保持部材に設けられた位置決め孔または突起を前記加熱体保持部材に設けられた突起または位置決め孔に位置決めする構成となっており、前記付勢手段は二つのばねを有し、この二つのばねが前記温度検出素子保持部材の前記二つの位置決め部をそれぞれ付勢することにより前記温度検出手段を前記加熱体に付勢していることを特徴とする定着装置。
【発明の詳細な説明】
【０００１】
【発明の属する技術分野】
本発明は複写機、レーザープリンタ、ファクシミリ等の電子写真プロセスを用いる画像形成装置の定着装置に関するものである。
【０００２】
【従来の技術】
従来の電子写真を用いた画像形成装置は、例えば図４のように構成されている。
【０００３】
図４において、２０１は感光ドラム、２０２は帯電ローラ、２０３はレーザー露光装置、２０４は反射ミラー、２０５は現像スリーブ、２０６はトナー、２０７はトナー容器、２０８は転写ローラ、２０９は被記録媒体としての紙等のシート、２１０はクリーニングブレード、２１１は廃トナー容器、２１２は定着装置、２１３はペーパーカセット、２１４は給紙ローラ、２１５は分離パッド、２１６は高圧電源である。
【０００４】
感光ドラム２０１は矢印の方向に回転し、高圧電源２１６から給電される帯電装置２０２によって一様に帯電される。レーザー露光装置２０３から発せられたレーザー光は反射ミラー２０４で反射され感光ドラムへ照射され、感光ドラム上には静電潜像が形成される。トナー容器２０７の中にはトナー２０６が充填されており、現像スリーブ２０５の回転に伴い、適量のトナーが適度の帯電を受けた後、感光ドラム上に供給されている。
【０００５】
現像スリーブ２０５上のトナーは、感光ドラム２０１の静電潜像に付着し、潜像が現像されトナー像として可視化される。ペーパーカセット２１３より給紙ローラ２１４はタイミングをとって、被記録媒体としてのシートを１枚ずつ給紙する。分離パッド２１５は給紙ローラ２１４と当接して配置され、その表面の摩擦係数、接地角度、形状は被記録媒体としてのシート２０９を１度の給紙毎に１枚のみ送るように調整されている。
【０００６】
可視化された感光ドラム２０１上のトナー像は転写ローラ２０８によりシート２０９上に転写される。転写されずに感光ドラム２０１上に残った転写残トナーはクリーニングブレード２１０により廃トナー容器２１１に収納され、表面をクリーニングされた感光ドラム２０１は繰り返し次の画像形成プロセスに入る。また未定着トナー像を乗せたシート２０９は定着装置２１２によって加熱、加圧を受けトナー像が紙上に永久定着される。
【０００７】
従来、定着装置２１２としては、特開昭６３−３１３１８２号公報で示されるセラミックの基板上に抵抗発熱体のパターンを設けて加熱体を作り、これを発熱させて薄いフィルムを介して被加熱体を加熱するフィルム加熱方式が用いられている。
【０００８】
しかし、このようなフィルム加熱方式では、エンドレスベルト状のフィルムに大きな寄り力が発生する。この対策として特開平０４−４４０５７号公報、特開平０４−４４０７７号公報で開示されるように、エンドレスフィルムを余裕を持って懸回駆動し、フィルムの寄り力を小さくするとともに駆動トルクを低減する方式が実用化されている。
【０００９】
このようなフィルム定着装置の断面図の一例を図５に示した。図５において、８は加熱体であり、セラミック基板上に抵抗発熱体８ａを形成されており、その上に保護層としてガラス層８ｂをコートしている。加熱体の裏面には温度検出手段１０７が実装されており、加熱体８の温度を検知している。
【００１０】
抵抗発熱体８ａは不図示の電源により給電され発熱する。温度検出手段１０７の温度が一定になるように、ＣＰＵ５０によりトライアック５１が駆動され、給電電極５２を介して抵抗発熱体８ａへの給電電力量が制御されている。
【００１１】
定着フィルム１０１は筒状の３層構造の耐熱性フィルムである。もっとも内側の層はベース層であり、定着フィルムのねじれ強度、平滑性などの機械的特性を担う層であり、ポリイミド、ポリアミドイミド、ＰＥＥＫ、ＰＥＳ、ＰＰＳ等の樹脂でできている。次の層は導電プライマ層であり、カーボンブラックなどの導電性粒子が分散された導電層であり、第三層目とベース層の接合を行なう接着剤の役目を担っている。もっとも外側の層がトップ層であり、さまざまな画像不良を引き起こさないよう最適な抵抗値と膜厚になるように設計される。
【００１２】
９は加熱体８を支持する加熱体保持部材であり、ＰＰＳ、液晶ポリマーなどの耐熱性を持つ樹脂で成型され、かつ定着フィルム１０１の円滑な回転を促す案内部材としての役割も持つ。１０６は定着ステーであり、鉄、アルミなどの金属でできている。定着ステー１０６は加熱体支持部材９のクリープによる変形を抑え、加熱体支持部材９の剛性を高める役割を果たしている。
【００１３】
１０４は加圧ローラであり、アルミ、鋳鉄などで作られる芯金１０４ａをシリコンゴムなどの耐熱性を有する弾性体１０４ｂで覆っている。加圧ローラ１０４の表層はトナーとの離型性があるＰＦＡ、ＰＴＦＥ、ＦＥＰなどのフッ素樹脂の被膜が設けられている。
【００１４】
加圧ローラ１０４は、定着フィルム１０１を挟んで加熱体８に圧接され、その圧接部で定着ニップＮを形成している。加圧ローラ１０４の芯金１０４ａは回転駆動を受け、定着フィルム１０１は定着ニップ部で従動回転する。トナーを担持した記録材としてのシートＰは不図示の転写ローラと感光ドラムにより搬送され、定着入り口ガイド１０５によって定着ニップ部に案内される。シートＰ上に担持された未定着のトナーＴは定着ニップ部で記録材上に加圧されるとともに加熱され、トナー樹脂が軟化しシートＰに密着し永久定着される。
【００１５】
このようなフィルム加熱方式の定着装置には、低熱容量のヒータを用いることができるため、従来の熱ローラ方式に比べ、ウエイトタイムの短縮化（クイックスタート）が可能となる。また、クイックスタートが可能となることにより、非プリント動作時の予熱が必要なくなり、総合的に省電力化を図ることができる。
【００１６】
図６は従来の温度検出装置が取り付けられた従来の定着器を示し、（ａ）は平面図、（ｂ）は温度検出装置が自由状態の図、（ｃ）は（ａ）のＡ-Ａ線断面図、（ｄ）は（ｃ）のＢ-Ｂ線断面図である。
【００１７】
図６において、従来の温度検出装置は、下面に温度検出素子１を設けた耐熱弾性部材２を温度検出素子保持部材３３に温度検出素子保持面３３ａを合わせて取り付けており、温度検出素子保持部材３３は、温度検出素子１のリード線を兼ねる２本の電気的に絶縁されている板ばね３５ａと３５ｂを介して位置決め体３４に取り付けられている。
【００１８】
位置決め体３４は、前後に長孔の位置決め孔３４ａと、円形の位置決め孔３４ｂとが形成されている。また、位置決め体３４からは前記板ばね３５ａと３５ｂとにそれぞれ接続するハーネス７が引き出され、図５に示すＣＰＵに接続される。
【００１９】
３９は加熱体保持部材で、位置決め体３４の位置決め孔３４ａと３４ｂに嵌合する位置決め突起３９ａと３９ｂが一体に形成されている。また、加熱体保持部材３９には、孔部３９ｃが形成され、この孔部３９ｃに露出している加熱体８のセラミック基板に温度検出素子１が接触できるようになっている。
【００２０】
温度検出装置は自然状態においては図６の（ｂ）に示すように、板ばね３５ａ、３５ｂが途中で折り曲げられて温度検出素子保持部材３３が下向きの姿勢になっており、加熱体保持部材３９に位置決め体３４を取り付けることによって、板ばね３５ａと３５ｂの弾性変形によって、温度検出素子１と加熱体８との接触面の圧がかかる構成になっている。
【００２１】
又、位置決め部３４は位置決め孔３４ａ，３４ｂと突起９ａ，９ｂの嵌め合いによって、位置決め体３４のラジアル方向の位置が決定し、位置決め体３４のスラスト方向は図示されていない固定部材によって固定保持される構成になっている。
【００２２】
図６に示すとおり、温度検出装置は、位置決め体３４によって、加熱体保持部材３９及び加熱体８とに対して位置決めされ、板ばね３５ａ、３５ｂを介して温度検出素子保持部材３３と連結されており、板ばねの曲げ応力の作用によって温度検出素子１と加熱体８の接触圧が保証される構成になっている。
【００２３】
図７は接触圧と検出温度の関係を示した概略図であり、横軸は接触圧、縦軸は温度検出素子の出力を示し、図示したグラフは温度が一定のときに、接触圧を変化させたときの出力の変化を図にしたものである。
【００２４】
図に示す通り、接触圧が変化すると、検出結果が変化してしまう特性を持っているため、実際は勾配の小さい図示の範囲を使用範囲とするが、勾配は決して０ではなく、接触圧をより安定させることが精度の良い温度検出、ひいては応答の高速化、温度制御の最適化へつながる重要な設計課題となっている。
【００２５】
【発明が解決しようとする課題】
しかしながら、従来の温度検出装置及びそれを用いた加熱定着装置では以下のような問題点を有していた。
【００２６】
第一の問題点は、接触面の面圧と圧バランスが安定しないという点である。板ばねの製造ばらつきによって、曲げ形状がばらつくと接触面が安定しないという傾向をもっており、加圧力が一定であっても温度検出素子が接している箇所が部分的に圧がかからない状態が起こりうる。このことは温度の検出精度を損ねる原因となる大きな問題点である。
【００２７】
第二の問題点は、加熱体への位置決め精度が安定しないという点である。従来の温度検出手段は位置決め部と温度検出素子保持部が別体で板ばねによって連結されていることから、温度検出手段の製造ばらつきによって、保持部と位置決め部の寸法がばらつくと加熱体と温度検出素子の位置精度が安定しないという傾向を持っている。加熱体も温度分布を持っていることから、このことは温度の検出精度を損ねる原因となる大きな問題点である。
【００２８】
第三の問題点は、貫通孔が大きくなってしまうという点である。従来の温度検出装置は位置決め部と温度検出素子保持部が別体で板ばねによって連結されていることから、温度検出装置の製造ばらつきを吸収するため、温度検出素子保持部の寸法に対して貫通孔を十分大きくする必要があった。この結果、加熱体が加熱体保持部材にも温度検出装置にも接触していない領域が大きくなってしまう傾向があった。この非接触部は放熱されないので加熱体の温度が周囲に比べ異常に高くなるため、非接触部が大きいことは定着加熱のむらやひいては熱応力による加熱体の破損の原因となる大きな問題点である。
【００２９】
本発明は上記従来の問題点を解決するものであって、温度検出精度が高く定着加熱むらや破損の危険性のない高品質・高信頼性の定着装置を提供するものである。
【００３０】
【課題を解決するための手段】
上述の課題を解決するための本発明は、細長い基板上に抵抗発熱体が形成された加熱体と、内周面が前記加熱体に接触しつつ回転する筒状のフィルムと、前記フィルムを介して前記加熱体と共に定着ニップ部を形成する加圧ローラと、前記加熱体を保持する加熱体保持部材と、温度検出素子と前記温度検出素子を保持する耐熱弾性部材と前記耐熱弾性部材を保持する温度検出素子保持部材を備えており前記加熱体保持部材に設けられた貫通孔を介して前記耐熱弾性部材の温度検出素子保持面側が前記加熱体の前記フィルム接触面とは反対側の面に接触し前記加熱体の温度を検出する温度検出手段と、前記温度検出手段を前記加熱体に付勢する付勢手段と、を有し、前記定着ニップ部でトナー像を担持する記録材を挟持搬送しつつトナー像を記録材に加熱定着する定着装置において、前記温度検出手段は、前記加熱体の長手方向に関して、前記温度検出素子を設けた位置を中心に等距離の位置関係にある二箇所を前記加熱体保持部材に位置決めしており、この二箇所の位置決め部のうちの少なくとも一方は、前記前記温度検出素子保持部材に設けられた位置決め孔または突起を前記加熱体保持部材に設けられた突起または位置決め孔に位置決めする構成となっており、前記付勢手段は二つのばねを有し、この二つのばねが前記温度検出素子保持部材の前記二つの位置決め部をそれぞれ付勢することにより前記温度検出手段を前記加熱体に付勢していることを特徴とする。
【００３８】
上記した構成では、温度検出素子保持部材を加熱体保持部材に位置決めすることによって、温度検出手段と加熱体及び加熱体保持部材との位置精度が向上する作用がある。又、位置精度が向上することによって加熱体保持部材の貫通孔を可及的に小さくできる作用もある。
【００３９】
【発明の実施の形態】
［参考例］
図１は参考例を示す。
【００４０】
図１は温度検出装置（温度検出手段）が加熱体保持部材に取り付けられた加熱定着装置（定着装置）を示す図であり、（ａ）は平面図、（ｂ）は（ａ）のＡ-Ａ線断面図、（ｃ）は（ｂ）のＢ-Ｂ線断面図である。
【００４１】
図１において、１は温度検出素子、２は耐熱弾性部材、３は温度検出素子保持部材、３ａは温度検出素子保持面、３ｂと３ｃはばね受け面、３ｄと３ｅは位置決め孔、５と６は圧縮ばね、７はハーネス、８は加熱体、９は加熱体保持部材、９ａと９ｂは温度検出素子保持部を位置決めする突起である。ただし、平面図において、圧縮ばねは省略されている。
【００４２】
図１において、温度検出装置は、温度検出素子保持部材３の下端部に設けた温度検出素子保持面３ａに、温度検出素子１を下面に有する耐熱弾性部材２を取り付けており、温度検出素子保持部材３の長手方向の両端部には円形の位置決め孔３ｄと長孔の位置決め孔３ｅが形成され、また位置決め孔３ｄと３ｅよりも内側の上端面には、圧縮ばね５、６の下端部がはまり込むばね受け面３ｂと３ｃが形成されている。また、温度検出素子保持部材３は、他端側から温度検出素子１に接続されているハーネス７が外に延びている。
【００４３】
また、加熱体保持部材９には、温度検出素子保持部材３の位置決め孔３ｄと３ｅに嵌合する位置決めする突起９ａと９ｂが形成され、これら位置決め孔３ｄ, ３ｅと、突起９ａ,９ｂとを嵌合させると、加熱体８を露出させる貫通孔９ｃに耐熱弾性部材２が嵌り込み、温度検出素子１が加熱体８に接触する。ただし、図１（ａ）において、圧縮ばね５は省略されている。
【００４４】
温度検出装置は、位置決め孔３ｄ，３ｅと突起９ａ，９ｂの嵌め合いによって位置決め突起のラジアル方向の位置が決定し、圧縮ばね５、６の上端（温度検出装置を付勢している側と反対側）が図示されていない固定部材によって固定され、圧縮ばね５、６が所定の作用長で保持されることによって、温度検出装置のスラスト方向の位置が決定する構成となっている。
【００４５】
また、本参考例では、圧縮ばね５、６が温度検出素子１に関して長手方向においてほぼ対称に配置されているのは、接触面における接触圧の圧バランスを均一にするための考慮である。
【００４６】
図１に示す通り、本参考例によれば、温度検出素子１を中心にして加熱体８の長手方向においてほぼ対称な位置を圧縮ばねによって温度検出装置の裏側から直接付勢しているため、温度検出素子１と加熱体８の接触圧を安定させる効果がある。
【００４７】
また、従来例のように温度検出素子保持部と位置決め部が板ばねで連結された構成でなく、温度検出素子保持部材３に位置決め孔３ｄ，３ｅが形成されているため、加熱体８と加熱体保持部材９との位置決め精度を向上させることができる。この結果、従来例に比べて、温度検出の精度を向上させることができる。位置精度が向上するため、従来例に比べて貫通孔部における加熱体の非接触面を狭く設定することができ、定着加熱のむらや熱応力による加熱体の破損が発生しにくい。
【００４８】
また、本参考例は、位置決め部位は、温度検出素子保持部材３側を孔、加熱体保持部材９を突起で描かれているが、温度検出素子保持部材３側を突起、加熱体保持部材９を孔としても同様の効果があることはいうまでもない。
【００４９】
また、本参考例は、定着加熱装置１つに対して、温度検出装置が１つ設けられた例を説明したが、定着加熱装置１つに対して、温度検出装置を２つ以上設け、異なった部分の温度を検出して温度調節制御する形態の定着加熱装置であっても、本参考例を適用すればそれぞれの箇所の温度検出精度が安定させる効果があるため有効である。
【００５０】
さらに、２つ以上の温度検出装置を設ける場合でも特に精度が必要な箇所や、寸法上の制約がある箇所のみ本参考例の温度検出装置を使用し他の箇所には従来の温度検出装置を使用しても定着加熱装置全体としては効果がある。
【００５１】
また、検出精度の面から十分均一であれば、ばね配置の対称性の程度やばねの個数は不問である。
【００５２】
［第１の実施の形態］
図２は本発明の第１の実施の形態を示す。図２は温度検出装置が加熱体保持部材に取り付けられた加熱定着装置を示す図であり、（ａ）は平面図、（ｂ）は（ａ）のＡ−Ａ線断面図、（ｃ）は（ｂ）のＢ−Ｂ線断面図である。
【００５３】
図２において、１は温度検出素子、２は耐熱弾性部材、１３は温度検出素子保持部、１３ａは温度検出素子保持面、１３ｂと１３ｃはばね受け面、１３ｄと１３ｅは位置決め孔、５と６は圧縮ばね、７はハーネス、８は加熱体、９は加熱体保持部材、９ａと９ｂは温度検出素子保持部を位置決めする突起である。ただし、平面図において、圧縮ばねは省略されている。
【００５４】
本実施の形態と上記した参考例との違いは、圧縮ばね５、６を突起９ｂと９ａと同軸的に配置したもので、位置決め孔１３ｅと１３ｄの周囲にそれぞればね受け面１３ｃと１３ｂが形成されている。
【００５５】
本実施の形態では、温度検出装置は、位置決め孔と突起のはめあいによって位置決め突起９ａ，９ｂのラジアル方向の位置が決定し、圧縮ばね５，６の上端（温度検出素子保持部材１３を付勢している側と反対側）が図示されていない固定部材によって固定され、圧縮ばね５、６が所定の作用長で保持されることによって、温度検出装置のスラスト方向の位置が決定する構成となっていることは参考例と同様である。
【００５６】
圧縮ばね５、６の中心と位置決め孔１３ｅと１３ｄの中心が一致しているのは、前記位置決め孔と前記位置決め突起の静止摩擦と、圧縮ばねの付勢力がつり合ってしまい、温度検出装置が所定の位置まで降下せずに途中で止まってしまうことと、途中で止まってしまわないまでも静止摩擦力によって圧縮ばねの付勢力を損失してしまうことを防止するためであって、このようにばねの付勢力が作用する点と、孔と突起の静止摩擦が発生する点と一致させることによって、前述のような不具合を可及的に防止できる。
【００５７】
図２に示す通り、本発明の第１の実施の形態によれば、位置決め孔と圧縮ばねの中心を一致させ、位置決め孔と突起の摩擦の影響を最小限に抑えることによって、温度検出素子と加熱体の接触圧を安定させる効果があり、参考例に比べて更に温度検出の精度を向上させることができる。
【００５８】
［第２の実施の形態］
図３は本発明の第２の実施の形態を示す。
【００５９】
図３は、温度検出装置が加熱体保持部材に取り付けられた加熱定着装置を示す図であり、（ａ）は平面図、（ｂ）は（ａ）のＡ-Ａ線断面図、（ｃ）は（ｂ）のＢ-Ｂ線断面図である。
【００６０】
図３において、１は温度検出素子、２は耐熱弾性部材、２３は温度検出素子保持部材、２３ａは温度検出素子保持面、２３ｂと２３ｃはばね受け面、２３ｄは位置決め孔、２３ｅは外周当接部位、５と６は圧縮ばね、７はハーネス、８は加熱体、２９は加熱体保持部材、２９ａは温度検出素子保持部材２３を位置決めする突起である。２９ｂは加熱体保持部材２９に一体的に形成された位置決め部で、温度検出素子保持部材２３の幅方向両側に配置されて温度検出素子保持部材２３の幅方向位置の位置決めを行なう。この位置決め部２９ｂは、一方の圧縮ばね５の配置される位置に合わせて設けられている。ただし、平面図において、圧縮ばねは省略されている。
【００６１】
本実施の形態と上記した第１の実施の形態との相違点は、第１実施の形態では温度検出素子保持部材の長さ方向の一方に突起が挿入される長孔を設けて位置決めを行なっていたが、本実施の形態ではこの長孔と突起に代えて上記した一対の位置決め部２９ｂにより温度検出素子保持部材２３の一端側と当接して位置決めするようにしている。
【００６２】
温度検出装置は、温度検出素子保持部材２３の他方側に設けた位置決め孔２３ｄと突起２９ａのはめあいによって位置決め突起２９ａのラジアル方向の位置が決定し、圧縮ばね５，６の上端（温度検出素子保持部材２３を付勢している側と反対側）が図示されていない固定部材によって固定され、圧縮ばねが所定の作用長で保持されることによって、温度検出手段のスラスト方向の位置が決定する構成となっていることは第１・第２の実施の形態と同様である。
【００６３】
温度検出素子１からハーネス７までの導体のレイアウトによっては第１の実施の形態のように位置決め孔を設けられない場合があり、本実施の形態のように外周で位置決めする構成となる場合がある。
【００６４】
図３に示す通り、本発明の第２の実施の形態によれば、位置決めを孔でなく温度検出素子保持部材２３の外周で行なう構成であっても、第１の実施の形態と同等の効果を得ることができる。
【００６５】
【発明の効果】
本発明によれば、温度検出素子保持部材を加熱体保持部材に位置決めすることによって、接触面の面圧が安定化すると共に加熱体に対する位置決め精度を向上し、温度検出素子と被温度測定体としての加熱体及び加熱体保持部材の位置精度の向上が図れ、定着装置の低消費電力化や立ち上げ時間の短縮などに寄与するため、この発明の効果は大きい。
【００６６】
また、温度検出素子と被温度測定体としての加熱体を保持する加熱体保持部材の位置精度が向上する結果、加熱体保持部材の貫通孔を小さく設計することが可能となり、加熱体の非接触面積が従来に比べて小さくできるため、定着加熱のむらや熱応力による加熱体の破損が発生しにくい定着装置を実現でき、この発明の効果は大きい。
【図面の簡単な説明】
【図１】  参考例における温度検出装置が加熱体保持部材に取り付けられた加熱定着装置を示す図であり、（ａ）は平面図、（ｂ）は（ａ）のＡ−Ａ線断面図、（ｃ）は（ｂ）のＢ−Ｂ線断面図
【図２】  本発明の第１の実施の形態における温度検出装置が加熱体保持部材に取り付けられた加熱定着装置を示す図であり、（ａ）は平面図、（ｂ）は（ａ）のＡ−Ａ線断面図、（ｃ）は（ｂ）のＢ−Ｂ線断面図
【図３】  本発明の第２の実施の形態における温度検出装置が加熱体保持部材に取り付けられた加熱定着装置を示す図であり、（ａ）は平面図、（ｂ）は（ａ）のＡ−Ａ線断面図、（ｃ）は（ｂ）のＢ−Ｂ線断面図
【図４】  従来の画像形成装置の概略断面図
【図５】  従来の加熱定着装置の概略断面図
【図６】  従来の温度検出装置を加熱体保持部材に取り付けた加熱定着装置を示す図で、（ａ）は平面図、（ｂ）は温度検出装置が自由状態の図、（ｃ）は（ａ）のＡ−Ａ線断面図、（ｄ）は（ｃ）のＢ−Ｂ線断面図
【図７】  従来の温度検出手段の特性図
【符号の説明】
１  温度検出素子
２  耐熱弾性部材
３  温度検出素子保持部
５，６  圧縮ばね
７  ハーネス
８  加熱体
９  加熱体保持部材
【図２】
0004566428.tif 000002
【図３】
0004566428.tif 000003
【図４】
0004566428.tif 000004
【図７】
0004566428.tif 000005
【図１】
0004566428.tif 000006
【図５】
0004566428.tif 000007
【図６】
0004566428.tif 000008